(57)【要約】【課題】照明器具用蓄電池の充電作業を簡便にするとともに、陳列棚の照明器具そのものを交換可能とする。【解決手段】陳列棚Ａの棚板２下面に着脱自在に設けた照明器具１０である。この照明器具１０は、長尺状筐体１１と、その筐体１１内に設けた蓄電池１２と、その蓄電池１２からの電力でもって光る筐体１１の長さ方向に複数並列されたＬＥＤ１３と、からなる構成である。蓄電池１２は、筐体１１から取外し・取付け自在であって、充電時、蓄電池１２のみの運搬となるため、作業性が向上する。筐体１１の棚板２下面への着脱自在な取付けは、接続金具２０、磁石４１ａ，４１ｂ、面ファスナ４２ａ、４２ｂ等で行うことができる。このように、汎用性のある接続手段であれば、一の陳列棚板２に異なる態様の照明器具１０を取付け・取替することができて、陳列品に応じた照明を行い得る。照明器具１０を棚板２から取外して充電することもできる。【選択図】図１
2020044247.tif 000002
【特許請求の範囲】
【請求項１】
什器（Ａ）の棚板（２）下面に着脱自在に取付けられる長尺状筐体（１１）と、その筐体（１１）内に設けた蓄電池（１２）と、その蓄電池（１２）からの電力でもって光る前記筐体（１１）内にその長さ方向に設けたＬＥＤ（１３）と、
からなる棚下照明器具。
【請求項２】
前記蓄電池（１２）が筐体（１１）から取外し・取付け自在となっている請求項１に記載の棚下照明器具。
【請求項３】
前記筐体（１１）の棚板（２）下面への取付けが、接続金具（２０）、磁石（４１ａ、４１ｂ）、又は面ファスナ（４２ａ、４２ｂ）で行って着脱自在となっている請求項１又は２に記載の棚下照明器具。
【請求項４】
請求項１乃至３の何れか１つに記載の棚下照明器具（１０）を什器（Ａ）の棚板（２）下面に着脱自在に取付け、その照明器具（１０）を棚板下面に取付けた状態において、前記照明器具（１０）によって棚下を照明し、前記蓄電池（１２）の充電を繰り返して前記照明作用を行う棚下照明方法。
【発明の詳細な説明】
【技術分野】
【０００１】
この発明は、電力供給が困難な場所や電源コードを引きづらい場所でも使用できる陳列棚等の什器の電源コードレス棚下照明器具に関するものである。
【背景技術】
【０００２】
百貨店等の大規模小売り店舗において、商品陳列等に使用する陳列棚（陳列台）の照明のうち、棚板の裏側（下面）に設置する棚下照明器具は、発生する棚板自体の影によって暗くなる棚下部を照らすことができる利点があるので、各種陳列棚の棚板下部の照明用として実用に共用されている。
【０００３】
しかし、柱や壁から離れた位置に陳列棚を設置する場合、柱や壁面のコンセントなどから電源コードによる照明器具への電力供給が必要となり、床上に電源コードを配線することとなる。その結果、通路上に配線カバー（モール）による凹凸が発生することとなり、そのモールに躓く等の通行の安全を損なうという問題がある。
【０００４】
そのモールへの躓きをなくすため、床下に電線（電源コード）を埋設して電力を供給することが考えられる。しかし、電線埋設部が固定されることから、陳列棚の位置変更がほぼ不可能となり、売り場の汎用性が損なわれる問題がある。
【０００５】
このような実情下、上記問題の解決策として、陳列棚自体に蓄電池（二次電池）を内蔵し、その蓄電地から照明器具に電力を供給する考えが示されている。所謂、電源コードレス化である（特許文献１〜３等参照）。この態様は、バリアフリーとなって安全性が向上する。
【先行技術文献】
【特許文献】
【０００６】
【特許文献１】特開２００９−２５４７６３号公報
【特許文献２】特開２０１３−５９２３号公報
【特許文献３】特開２０１４−２３７１４号公報
【発明の概要】
【発明が解決しようとする課題】
【０００７】
上記従来の電源コードレスの照明装置付陳列棚は、陳列棚自体に蓄電池を備えているため、充電時には、柱や壁面の電源コンセントなどから電源コードを陳列棚まで引いて行くか、又は逆に、前記電源コンセント近くまで陳列棚を持って行かなくてはならず、非常に煩わしい作業となる。
また、百貨店等の商業施設においては、充電作業は、営業時間外に行われるため、煩わしい作業は短いことが好ましい。
さらに、同じ陳列棚においても、陳列商品によって、異なる照明器具を使用したい場合もあるが、陳列棚に固定の照明器具の取替は大変である。
【０００８】
この発明は、以上の実状の下、照明器具用蓄電池の充電作業を簡便にするとともに、陳列棚等の什器の照明器具そのものを交換可能（着脱可能）とすることを課題とする。
【課題を解決するための手段】
【０００９】
上記課題を達成するため、この発明は、まず、照明器具を着脱自在とし、かつ照明器具自体に蓄電池を有するものとしたのである。
近年の技術革新により、蓄電池の容量は飛躍的に大きくなっており、発光源（電球）がＬＥＤ（発光ダイオード：light emitting diode）であれば、照明器具の筐体内に収まる蓄電池によって、商業施設の開店時間、例えば、１０時間ほどの電力供給が可能になった。
この照明器具は蓄電池内蔵であるから、電源コンセントの有無に関係なく、何処に置かれた什器の棚下においても取付けて照明を行うことができる。
また、蓄電池内蔵の照明器具であるから、取外すことによって、持ち運びが容易であり、充電作業も簡単となる
【００１０】
この発明に係る棚下照明器具の具体的な構成としては、陳列棚等の什器の棚板下面に着脱自在に取付けられる長尺状筐体と、その筐体内に設けた蓄電池（二次電池）と、その蓄電池からの電力でもって光る前記筐体内にその長さ方向に設けたＬＥＤと、からなる構成としたのである。
この構成において、前記蓄電池は筐体に固定しても良いが、筐体から取外し・取付け自在とすれば、充電時、蓄電池のみの運搬となるため、作業性が向上する。
また、前記筐体の棚板下面への着脱自在な取付けは、種々の手段が採用し得るが、例えば、接続金具、磁石、面ファスナ等で行うことができる。
前記各態様の棚下照明器具は什器の棚板下面に着脱自在であるため、その照明器具を棚板下面に取付けた状態において、前記照明器具によって棚下を照明し、蓄電池は充電を繰り返して前記照明作用を行うことができ、その充電は、照明器具を什器から外して行ったり、蓄電池のみを外して行ったりする。
【発明の効果】
【００１１】
この発明は、以上のように構成して、照明器具自体に蓄電池を設けて、その照明器具を着脱自在としたので、充電作業が簡便になるとともに、汎用性のある着脱手段であれば、一の陳列棚に異なる態様の照明器具を取付け・取替することができて、陳列品等に応じた照明を行い得る。
また、陳列棚等の什器内の配線はなく、照明器具内で電気配線（回路）は完了しているため、照明器具の無い什器においても、後付けで照明器具を取付けることができる。すなわち、この発明に係る棚下照明器具は既存の什器に採用し得る。
さらに、什器の設置場所周りには、電源コードのないコードレス什器となるため、そのコードのモールに躓くことがなくなり、今日のバリアフリー化に沿ったレイアウトとすることが容易である。
また、百貨店等の商業施設では、作業者として女性が多く、陳列棚等の什器を移動させる模様替えなどの作業は力仕事の軽いことが好ましい。このため、この発明に係る棚下照明器具は持ち運びが容易であり、充電作業も簡単であることから、この棚下照明器具を備えた陳列棚等の什器は前記作業を軽減し得るものとなる。
【図面の簡単な説明】
【００１２】
【図１】この発明に係る棚下照明器具の一実施形態の一設置状態の概略斜視図
【図２】同実施形態の取付け状態の要部斜視図
【図３】同実施形態の下面図
【図４】同実施形態を示し、（ａ）は概略側面図、（ｂ）は同切断図、（ｃ）は同作用図
【図５】同実施形態の棚板への一の取付け態様の要部を示し、（ａ）は分解斜視図、（ｂ）は取付け態様斜視図
【図６】同実施形態の棚板への他の取付け態様の要部を示し、（ａ）は分解斜視図、（ｂ）は取付け態様斜視図
【図７】同実施形態の棚板へのさらに他の取付け態様の要部を示し、（ａ）は分解斜視図、（ｂ）は取付け態様斜視図
【図８】同実施形態の棚板へのさらに他の取付け態様の要部を示し、（ａ）は分解斜視図、（ｂ）は取付け態様斜視図
【図９】同実施形態の棚板へのさらに他の取付け態様の要部を示し、（ａ）は分解斜視図、（ｂ）は取付け態様斜視図
【図１０】同実施形態の概略電源回路図
【図１１】同実施形態の充電の各態様説明用斜視図
【図１２】同実施形態の他の充電態様説明用斜視図
【図１３】同実施形態の他の概略電源回路図
【図１４】この発明に係る棚下照明器具の他の各実施形態の平面図
【図１５】この発明に係る棚下照明器具の他の設置態様の概略斜視図
【図１６】同概略斜視図
【図１７】同概略斜視図
【図１８】同概略斜視図
【発明を実施するための形態】
【００１３】
この発明に係る陳列棚（台）の照明装置の一実施形態を図１〜図１３に示し、この実施形態の陳列棚Ａは台箱Ｂに設けられている。台箱Ｂは、その下面の４角にキャスター（図示せず）が設けられて、そのキャスターでもって移動自在である。台箱Ｂ内には、陳列商品の予備等を適宜に収納する。
陳列棚Ａは、台箱Ｂの上面中程に支持板１が立設され、その支持板１は両側に二段の棚板２を有している。この棚板２の上面や台箱Ｂの上面に商品が陳列される。棚板２の段数は、二段に限らず、一段、三段・・等と任意であり、その棚板２の態様は図示に特定されない。また、棚板２は木棚、金属棚、石棚、ガラス棚、合成樹脂棚等の従来の物を適宜に採用できる。
なお、台箱Ｂの高さは任意であり、収納機能を有さないものもある。また、陳列棚には台箱がなく、単に、商品陳列用棚板が最下段となる態様のものもある。
【００１４】
その各棚板２の下面に備える照明器具１０がこの発明の特徴であり、この照明器具１０は、長尺状の筐体１１と、その筐体１１内に設けた蓄電池（二次電池、充電池）１２と、その蓄電池１２からの電力でもって光る筐体１１内に複数設けたＬＥＤ１３とからなる。陳列棚Ａには、通常、天井からも照明されるが、棚板２がその下方の展示（陳列）商品の照明の邪魔となるため、この照明器具１０は前記下方を照らすものである。
【００１５】
筐体１１は一体樹脂成形品や金属成形品等からなる。蓄電池１２は直列接続して所要数が並べられている。この蓄電池１２の数は、ＬＥＤ１３の数や点灯時間、例えば１０時間に応じて、その時間、十分な照明がなされるように、実験などによって適宜に決定する。蓄電池１２としては、寿命が長く電気容量の大きい「リチウムイオン電池」を採用するのが好ましいが、他の種類の電気化学電池でも良い。蓄電池１２は、乾電池形状の物を直列状に並べた態様に限らず、セルを集積して一体化した棒状の物などの種々の態様を採用することができる。ＬＥＤ１３は筐体１１の長さ方向に直列に配置されるとともに、下方に対して上向き傾斜しており、その数、配置、発光角度（上向き傾斜角度）θ（図４（ｂ）参照）は商品を適切に照明できるように実験等によって適宜に設定する。
【００１６】
複数の蓄電池１２はケーシング等に入れられて一パックとなって、筐体１１から着脱自在であり、筐体１１に取付けると、蓄電池１２側のスイッチ１４が自動的にＯＮするとともに、スイッチ１４がＯＮし、筐体１１側のｃ接点スイッチ１５がＯＮ（一点鎖線の状態）となれば、ＬＥＤ１３が発光する。蓄電池１２のパック（ケーシング）内には、蓄電池１２以外に、充電制御回路１６が内蔵されており、充電器Ｃからその充電制御回路１６に電力が供給されると、蓄電池１２に蓄電される（図１０参照）。
以下、蓄電池１２の直列配置された物（パック）を適宜に符号「１２」、また、ＬＥＤ１３の配列された一パックもの（発光器）を適宜に符号「１３」と記載する。
【００１７】
筐体１１には、整流回路１７、電源回路（ＬＥＤ駆動回路）１８が設けられている（図１０参照）。このため、図示しないコンセントから前記整流回路１７に交流電力が投入され、スイッチ１５が二点鎖線の状態になると、直流電力が電源回路１８に入力してＬＥＤ１３が発光する。スイッチ１５は、スイッチ１４又は整流回路１７からの電力供給によって電源回路１８に電力を供給する自動ｃ接点とする。しかし、両スイッチ１４、１５のＯＮ・ＯＦＦは自動でも手動でも良く、手動スイッチ１４、１５の場合は、筐体１１の操作し易い面、例えば、側面に設けることができる。
筐体１１の側面には直流電源の電力供給用コネクタ１９が設けられている。前記交流電力の供給用コネクタは図示しないが、筐体１１の側面などの適宜個所に設ける。
【００１８】
筐体１１は、棚板２の下面に適宜な手段によって着脱自在となっている。その一手段として、図５〜図７に示す金属製接続金具（クリップ金具）２０によるものとすることができる。この接続金具２０は、棚板２に当接される基片２１と、その基片２１から立ち上がったＬ字状支持片２２とからなり、その基片２１とＬ字状支持片２２との間に照明器具１０の端部を嵌め込むことによって接続金具２０に照明器具１０が支持される。そのとき、照明器具１０の三角状突起２４が接続金具２０の係止孔２３に嵌り込むことによって接続金具２０と照明器具１０の離脱が阻止される。接続金具２０の突片２５を持ち上げることにより、照明器具１０は接続金具２０から離脱できる。突片２５は、接続金具２０に照明器具１０を嵌め込む際のガイドともなる。
【００１９】
棚板２がガラス板の場合、通常、そのガラス板２はその支持フレームの１つであるブラケット２６によって支持されている。このため、接続金具２０は、図５に示す当て片２７を有する物とし、その当て板２７とＬ字状支持片２２の立片との間に前記ブラケット２６を嵌めて棚板２の下面に照明器具１０を取付ける（図５（ａ）から同（ｂ））。
また、照明器具１０に対して棚板２の両端のブラケット２６の幅や前後方向の長さが合わない場合は、図６に示すように、接続金具２０の基片２１を棚板２の幅方向に長いものとし、その基片２１の長さ方向にスライド可能のブラケット受金物２８を設け、その受金物２８をブラケット２６に嵌めることによって、接続金具２０を所要の位置となるようにすることができる（図６（ａ）から同（ｂ））。受金物２８は、この実施形態では、基片２１に四角枠状スライダ２８ａを嵌め込むことによってスライド可能となっている。
【００２０】
棚板２が木製等のビス止めが可能な物の場合、図７に示すように、接続金具２０を棚板２の下面にビス止めし、その接続金具２０に照明器具１０を嵌め込み支持する（図７（ａ）から同（ｂ））。
接続金具２０は金属製が好ましいが、樹脂成形品とすることもできる。また、接続金具２０は前記の形状に限らず、王冠状とすることができる。
さらに、接続金具２０は、接着剤によって棚板２の下面に固定することもできる。
【００２１】
接続金具２０に代えて、他の支持手段、例えば、図８に示す、磁石（マグネット）によったり、図９に示す面ファスナとしたりすることができる。磁石の場合、一方に強磁性体のスチールパネル（片）４１ａ、他方に磁石（片）４１ｂを取付ける。実施形態においては、棚板２側にスチールパネル４１ａ、照明器具１０側に磁石４１ｂを設けて、棚板２の下面に種々の磁性体が磁着しないようにしている。磁石は、凹部に埋め込むことができる。
面ファスナ（片）はその雄雌面の一方４２ａを棚板２の下面に、他方４２ｂを照明器具１０の上面にそれぞれ接着剤等によって固定する。好ましくはビス止めする。この面ファスナも凹部に埋め込むことができる。
前記磁石、面ファスナによる取付けは、図８、図９の（ａ）から（ｂ）のようにして行う。これらの場合、突起２４は不要であるから、省略し得る。但し、突起２４を有すれば、図５〜図９に示す各棚板２への各取付け態様において、同一の照明器具１０を使用できる利点がある。
なお、前記各接続金具２０、磁石４１ｂ、スチールパネル４１ａ、面ファスナ４２ａ、４２ｂは棚板２の両端に設けて、照明器具１０はその両端において接続金具２０等でもって棚板２に取付ける。
【００２２】
この実施形態の照明器具１０の蓄電池１２を充電するには、図１１に示すように、各照明器具１０を棚板２から外して、壁や柱の電源コンセントに近い所においた、充電器５１に接続して行う。そのとき、同図（ａ）に示すように、充電器５１からコードを電源コネクタ１９に接続して各照明器具１０に電力を供給しても、同図（ｂ）に示すように、充電器５１の箱内に各照明器具１０を差し込むことによって電力を供給しても良い。
また、図１２に示すように、棚板２の下面に取付け状態の照明器具１０に充電器５１からコードを電源コネクタ１９に接続して充電することもできる。このとき、陳列棚Ａを充電器５１の位置する場所に移動させても良いし、充電器５１のコード又は電源コンセントへのコードに長いものを使用し、陳列棚Ａを移動しない、又は少し移動するだけで充電をすることができる。
さらに、蓄電池１２が筐体１１から取外し・取付け可能であるので、各照明器具１０から蓄電池１２（パック）を取外し、その蓄電池１２を電源コンセントの近く等の充電エリアにおいて充電する。
【００２３】
蓄電池１２は筐体１１内に固定型とし得る（着脱自在でない型とし得る）。この場合、照明器具１０の電源回路は図１３に示すものとすることができ、充電態様は、図１１、図１２に示すものとなる。このとき、スイッチ１４は、手動としたり、充電制御回路１６に電力が供給されるとＯＦＦし、供給が停止すれば、ＯＮしたりする自動スイッチ等の使用に適応した仕様とする。
このスイッチ１４及び前記スイッチ１５の作用は、スマートフォンによって行うことができ、また、ＬＥＤ１３の輝度や色をスマートフォンによって調整し得るようにし得る。スマートフォンに代えて専用のリモコンで行うこともできる。充電残量表示も筐体１１の表面において行うことができる。
【００２４】
照明器具１０の態様としては、棚下用直線長尺状のものは任意の長さを採用できるが、例えば、長さ：３００ｍｍ（図１４（ａ））、６００ｍｍ（同図（ｂ））、９００ｍｍ（同図（ｃ））、１２００ｍｍ（同図（ｄ））といったように３００ｍｍを基準単位とした長さを採用することができる。その他として、同図（ｅ）に示すＳ字形、同図（ｆ）に示す円弧形、同図（ｇ）に示す３０度コーナ（傾斜）形、同図（ｈ）に示す４５度コーナ形、同図（ｉ）に示す９０度コーナ形等の種々の態様を適宜に選択できる。このとき、各什器の照明器具は同一形状の物としたり、蓄電池１２も同一形状の物としたりして、それらは各什器に採用できる汎用品とすることもできる。
【００２５】
因みに、この発明に係る照明器具１０は、陳列棚Ａに限らず、種々の什器の棚板２の下面に採用することができ、さらに、棚板の下面に限らず、壁や柱等の種々の場所や、図１５〜図１８に示す、イベント会場等で使用する移動式展示什器６１、同ドレッサー什器６２、同サイン什器６３、同デスク什器６４、インフォメーションディスプレイ等のライト用照明器具１０として使用することができる。特に、それらの什器が移動式である場合に有効である。このとき、埋め込み式の照明器具１０としたり、側面形状の異なる照明器具１０としたりし得て、什器基台への取付け治具は、前記磁石や面ファスナ等の種々の物を採用する。また、移動自在なマネキンに付設した照明器具とし得る。
【００２６】
また、この発明に係る照明器具は、フィッティングルームの照明（例えば、ウォールランプ）に使用することができる。このとき、その点滅は人センサーに連動させることが好ましい。
さらに、この発明に係る照明器具は、ワゴン什器（商品の載置台）における上部の棒状照明に使用したり、化粧品催事のメイク特設会場の照明に使用したりすることができる。生鮮産品の販売場所にこの照明器具１０を使用した場合、設置床面は水に濡れているため、コードがないことは非常に有利である。
【００２７】
なお、台箱Ｂ内に蓄電池を内蔵し、その蓄電池から各照明器具に電力を供給することもできる。その蓄電池は取替自在として、スペアー蓄電池で継続的な電力供給を可能にすることができる。このとき、照明器具１０（蓄電池１２）を、一陳列棚の必要数の少なくとも倍数準備し、残りの照明器具１０等を充電用とすれば、照明器具１０（蓄電池１２）の交換を円滑に行うことができる。
この発明に係る照明器具１０をリース業者が採用すれば、一定周期（例えば７日間単位）で什器を取り替えるため、貸し出ししない期間に充電することができる。
【００２８】
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２９】
Ａ  陳列棚（陳列台）
Ｂ  台箱
１  支持板
２  棚板
１０  照明器具
１１  筐体
１２  蓄電池（二次電池）
１３  ＬＥＤ（発光器）
１４、１５  スイッチ
２０  接続金具
４１ａ  磁着用スチールパネル（片）
４１ｂ  磁石（片）
４２ａ、４２ｂ  面ファスナ（片）
【図１】
2020044247.tif 000003
【図２】
2020044247.tif 000004
【図３】
2020044247.tif 000005
【図４】
2020044247.tif 000006
【図５】
2020044247.tif 000007
【図６】
2020044247.tif 000008
【図７】
2020044247.tif 000009
【図８】
2020044247.tif 000010
【図９】
2020044247.tif 000011
【図１０】
2020044247.tif 000012
【図１１】
2020044247.tif 000013
【図１２】
2020044247.tif 000014
【図１３】
2020044247.tif 000015
【図１４】
2020044247.tif 000016
【図１５】
2020044247.tif 000017
【図１６】
2020044247.tif 000018
【図１７】
2020044247.tif 000019
【図１８】
2020044247.tif 000020
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
キャスターでもって移動自在な什器（Ａ）の棚板（２）下面に着脱自在に取付けられる長尺状筐体（１１）と、その筐体（１１）内に設けた蓄電池（１２）と、その蓄電池（１２）からの電力でもって光る前記筐体（１１）内にその長さ方向に設けたＬＥＤ（１３）と、前記棚板（２）の下面に固定されて前記筐体（１１）の長尺状の両端部をそれぞれ支持する接続金具（２０）と、を備える棚下照明器具であって、
上記ＬＥＤ（１３）は、筐体（１１）の前部長さ方向に直列に配置されるとともに、下方に対して上向き傾斜しており、
上記接続金具（２０）は、棚板（２）の下面に固定される基片（２１）と、その基片（２１）から立ち上がったＬ字状支持片（２２）とを有し、そのＬ字状支持片（２２）は、前記基片（２１）から立ち上がった立片（２２ａ）の立ち上げ縁から前記棚板（２）の下面に沿って横方向に伸びる平片（２２ｂ）を有し、前記L字状支持片（２２）の基片（２１）と平片（２２ｂ）の間にその後方から上記筐体（１１）の長尺状端部を着脱自在に嵌め込んで支持する棚下照明器具。
【手続補正２】
【補正対象書類名】明細書
【補正対象項目名】００１５
【補正方法】変更
【補正の内容】
【００１５】
筐体１１は一体樹脂成形品や金属成形品等からなる。蓄電池１２は直列接続して所要数が並べられている。この蓄電池１２の数は、ＬＥＤ１３の数や点灯時間、例えば１０時間に応じて、その時間、十分な照明がなされるように、実験などによって適宜に決定する。蓄電池１２としては、寿命が長く電気容量の大きい「リチウムイオン電池」を採用するのが好ましいが、他の種類の電気化学電池でも良い。蓄電池１２は、乾電池形状の物を直列状に並べた態様に限らず、セルを集積して一体化した棒状の物などの種々の態様を採用することができる。ＬＥＤ１３は、図４に示すように、筐体１１の前部長さ方向に直列に配置されるとともに、下方に対して上向き傾斜しており、その数、配置、発光角度（上向き傾斜角度）θ（図４（ｂ）参照）は商品を適切に照明できるように実験等によって適宜に設定する。
【手続補正３】
【補正対象書類名】明細書
【補正対象項目名】００１８
【補正方法】変更
【補正の内容】
【００１８】
筐体１１は、棚板２の下面に適宜な手段によって着脱自在となっている。その一手段として、図５〜図７に示す金属製接続金具（クリップ金具）２０によるものとすることができる。この接続金具２０は、棚板２に当接される基片２１と、その基片２１から立ち上がったＬ字状支持片２２とからなり、そのＬ字状支持片２２は、基片２１から立ち上がった立片２２ａの立ち上げ縁から棚板２の下面に沿って横方向に伸びる平片２２ｂを有し、そのL字状支持片２２の基片２１と平片２２ｂの間にその後方から筐体１１の長尺状端部を着脱自在に嵌め込むことによって接続金具２０に照明器具１０が支持される。そのとき、照明器具１０の三角状突起２４が接続金具２０の係止孔２３に嵌り込むことによって接続金具２０と照明器具１０の離脱が阻止される。接続金具２０の突片２５を持ち上げることにより、照明器具１０は接続金具２０から離脱できる。突片２５は、接続金具２０に照明器具１０を嵌め込む際のガイドともなる。
【手続補正４】
【補正対象書類名】明細書
【補正対象項目名】００１９
【補正方法】変更
【補正の内容】
【００１９】
棚板２がガラス板の場合、通常、そのガラス板２はその支持フレームの１つであるブラケット２６によって支持されている。このため、接続金具２０は、図５に示す当て片２７を有する物とし、その当て板２７とＬ字状支持片２２の立片２２ａとの間に前記ブラケット２６を嵌めて棚板２の下面に照明器具１０を取付ける（図５（ａ）から同（ｂ））。
また、照明器具１０に対して棚板２の両端のブラケット２６の幅や前後方向の長さが合わない場合は、図６に示すように、接続金具２０の基片２１を棚板２の幅方向に長いものとし、その基片２１の長さ方向にスライド可能のブラケット受金物２８を設け、その受金物２８をブラケット２６に嵌めることによって、接続金具２０を所要の位置となるようにすることができる（図６（ａ）から同（ｂ））。受金物２８は、この実施形態では、基片２１に四角枠状スライダ２８ａを嵌め込むことによってスライド可能となっている。
【手続補正５】
【補正対象書類名】図面
【補正対象項目名】図５
【補正方法】変更
【補正の内容】
【図５】
2020044247.tif 000021